(57)【要約】【課題】輸送用移動体のシートごとにシート環境を制御するシート環境制御ユニットが用いられている場合であっても、ユーザのグループ内につき１つの携帯端末で、このグループ内の各ユーザの着座するシートのシート環境を調整することを可能にする。【解決手段】携帯端末２が、乗員となるユーザが含まれるグループの各ユーザのシートの予約をまとめて行う予約システム３から送信される、各ユーザの予約位置を含む予約情報を取得し、操作入力部２４で受け付けるグループの各ユーザのシートについてのシート環境設定とこの予約情報とを、接続されるシート環境制御ユニット１０に送信し、予約情報に含まれる予約位置をもとに、予約されたグループの各ユーザのシートに対応するシート環境制御ユニット１０に、対応するシート環境設定を伝達させる。【選択図】図４
2019182090.tif 000002
【特許請求の範囲】
【請求項１】
輸送用移動体に設けられる複数のシートごとに用いられる、そのシートのシート環境についての制御を行うシート環境制御ユニット（１０，５０，７０）と、
前記輸送用移動体の乗員となるユーザが携帯する携帯端末（２）とを含み、
前記携帯端末は、
前記乗員となるユーザが含まれるグループの各ユーザの前記シートの予約をまとめて行う予約システム（３）から送信される、予約された前記グループの各ユーザのシートの位置を示す予約位置を含む予約情報を、取得する予約情報取得部（２１）と、
予約された前記グループの各ユーザのシートのシート環境についての設定であるシート環境設定を受け付け可能な設定入力部（２４）と、
予約された前記シートに対応する前記シート環境制御ユニットと無線通信可能に接続してそのシート環境制御ユニットと通信を行う携帯側無線通信部（２５）とを備え、
前記携帯側無線通信部は、前記設定入力部で受け付ける前記グループの各ユーザのシートについてのシート環境設定を、接続される前記シート環境制御ユニットに送信することで、前記予約情報取得部で取得する前記予約情報に含まれる前記予約位置をもとに、予約された前記グループの各ユーザのシートに対応する前記シート環境制御ユニットに、対応する前記シート環境設定を伝達させ、
前記シート環境制御ユニットは、
自ユニットに対応する前記シート環境設定が伝達されてくる場合に、このシート環境設定に従って、自ユニットが用いられる前記シートのシート環境についての制御を行うシート環境制御部（１１５，５１５，７１５）を備えるシート環境制御システム。
【請求項２】
複数の前記シートごとに用いられる前記シート環境制御ユニットは、お互いが通信可能にネットワーク接続されるものであり、
前記携帯側無線通信部は、予約された前記シートに対応する前記シート環境制御ユニットのうちの１つと無線通信可能に接続してそのシート環境制御ユニットと通信を行うものであり、前記設定入力部で受け付ける前記グループの各ユーザのシートについてのシート環境設定を、前記予約情報取得部で取得する前記予約情報に含まれる前記予約位置のうちの、対応する前記予約位置と紐づけてその１つのシート環境制御ユニットに送信することで、その１つのシート環境制御ユニットからその予約位置をもとにして、予約された前記グループの各ユーザのシートに対応する残りの前記シート環境制御ユニットに、個々のシート環境制御ユニットに対応する前記シート環境設定を伝達させ、
前記シート環境制御ユニットは、
他の前記シート環境制御ユニットと通信を行うシート間通信部（１３）を備え、
前記シート間通信部は、自ユニットに無線通信可能に接続される前記携帯端末から受信する、前記グループの各ユーザのシートに対応する前記予約位置をもとにして、予約された前記グループの各ユーザのシートに対応する、自ユニット以外の残りの前記シート環境制御ユニットに、個々のシート環境制御ユニットに対応する前記シート環境設定を伝達し、
前記シート環境制御部は、自ユニットに無線通信可能に接続される前記携帯端末から、自ユニットに対応する前記シート環境設定が伝達されてくる場合には、このシート環境設定に従って、自ユニットが用いられる前記シートのシート環境についての制御を行う一方、自ユニットが用いられる前記シート以外の前記シートで用いられる他の前記シート環境制御ユニットから、自ユニットに対応する前記シート環境設定が伝達されてくる場合には、このシート環境設定に従って、自ユニットが用いられる前記シートのシート環境についての制御を行う請求項１に記載のシート環境制御システム。
【請求項３】
前記シート環境制御ユニットは、
自ユニットが用いられる前記シートに対応するユーザからの、そのシートのシート環境についての設定変更を受け付ける変更受け付け部（５１１）を備え、
前記シート環境制御部は、自ユニットが用いられる前記シート以外の前記シートで用いられる他の前記シート環境制御ユニットから伝達されてくる前記シート環境設定に従って、自ユニットが用いられる前記シートのシート環境についての制御を行っていた場合であっても、前記変更受け付け部で前記設定変更を受け付ける場合には、この設定変更を優先して、自ユニットが用いられる前記シートのシート環境についての制御を行う請求項２に記載のシート環境制御システム。
【請求項４】
前記予約情報取得部は、前記乗員となるユーザが前記シートの予約を行う前記予約システムから送信される、予約された前記グループの各ユーザのシートの位置を示す前記予約位置及び前記グループの前記輸送用移動体の利用区間を含む前記予約情報を、取得するものであり、
前記携帯側無線通信部は、接続される前記シート環境制御ユニットに、前記予約情報取得部で取得する前記予約情報に含まれる前記利用区間も送信することで、予約された前記グループの各ユーザのシートに対応する前記シート環境制御ユニットにこの利用区間も伝達するものであって、
前記シート環境制御ユニットは、
前記輸送用移動体の位置を取得する位置取得部（１１３）とを備え、
前記シート間通信部は、前記位置取得部で取得する前記輸送用移動体の位置が、伝達されてくる前記利用区間外である場合には、予約された前記グループの各ユーザのシートに対応する、自ユニット以外の残りの前記シート環境制御ユニットに、個々のシート環境制御ユニットに対応する前記シート環境設定を伝達せず、
前記シート環境制御部は、前記位置取得部で取得する前記輸送用移動体の位置が、伝達されてくる前記利用区間外である場合には、自ユニットに対応する前記シート環境設定が伝達されてくる場合であっても、このシート環境設定に従った、自ユニットが用いられる前記シートのシート環境についての制御を行わない請求項２又は３に記載のシート環境制御システム。
【請求項５】
前記シート環境制御部は、前記位置取得部で取得する前記輸送用移動体の位置が、伝達されてくる前記利用区間内から前記利用区間外となる場合には、自ユニットが用いられる前記シートのシート環境についての制御をデフォルトの設定に従った制御に戻す請求項４に記載のシート環境制御システム。
【請求項６】
前記輸送用移動体は、個々のユーザごとの前記予約位置の情報を含むチケットを改札機に読み取らせて乗り込むものであって、
前記シート環境制御ユニットは、
前記改札機で読み取られるチケットの前記予約位置の情報をもとに、自ユニットが用いられる前記シートの乗員となるユーザの前記輸送用移動体への乗り込みの有無を判定する乗り込み判定部（７１７）を備え、
前記シート環境制御部は、前記乗り込み判定部で自ユニットが用いられる前記シートの乗員となるユーザの前記輸送用移動体への乗り込みがないと判定する場合には、自ユニットが用いられる前記シート以外の前記シートで用いられる他の前記シート環境制御ユニットから、自ユニットに対応する前記シート環境設定が伝達されてくる場合であっても、このシート環境設定に従った、自ユニットが用いられる前記シートのシート環境についての制御を行わない請求項２〜５のいずれか１項に記載のシート環境制御システム。
【請求項７】
前記携帯側無線通信部は、予約された前記シートに対応する前記シート環境制御ユニットの全てと無線通信可能に接続してそれらのシート環境制御ユニットと通信を行うことが可能なものであり、前記設定入力部で受け付ける前記グループの各ユーザのシートについてのシート環境設定を、それらのシートに対応する、前記予約情報取得部で取得する前記予約位置をもとに、予約された前記グループの各ユーザのシートに対応する前記シート環境制御ユニットに送信することで、個々のシート環境制御ユニットに対応する前記シート環境設定を伝達させる請求項１に記載のシート環境制御システム。
【請求項８】
前記携帯端末は、
情報の表示を行う表示部（２３）を備え、
前記表示部は、予約された前記グループの各ユーザのシート別に前記シート環境設定を受け付けるための表示を行う請求項１〜７のいずれか１項に記載のシート環境制御システム。
【請求項９】
輸送用移動体に設けられる複数のシートごとに用いられるシート環境制御ユニットであって、
自ユニットが用いられる前記シート以外の前記シートで用いられる他の前記シート環境制御ユニットと通信可能にネットワーク接続されるものであり、
自ユニットが用いられる前記シートのシート環境についての制御を行うシート環境制御部（１１５，５１５，７１５）と、
前記輸送用移動体の乗員となるユーザが携帯する携帯端末（２）と無線通信可能に接続してその携帯端末と通信を行い、その携帯端末が、前記乗員となるユーザが含まれるグループの各ユーザの前記シートの予約をまとめて行う予約システム（３）から取得する、予約された前記グループの各ユーザのシートの位置を示す予約位置を含む予約情報を受信するシート側無線通信部（１２）と、
他の前記シート環境制御ユニットと通信を行うシート間通信部（１３）とを備え、
前記シート側無線通信部は、前記携帯端末から送信されてくる、その携帯端末で受け付ける前記グループの各ユーザのシートについてのシート環境設定と、それらのシート環境設定に紐付けられる、それらのシートに対応する前記予約位置とを受信し、
前記シート間通信部は、前記携帯端末から受信する、前記グループの各ユーザのシートに対応する前記予約位置をもとにして、予約された前記グループの各ユーザのシートに対応する自ユニット以外の残りの前記シート環境制御ユニットに、対応する前記シート環境設定を送信し、
前記シート環境制御部は、他の前記シート環境制御ユニットから自ユニットに対応する前記シート環境設定が伝達されてくる場合に、このシート環境設定に従って、自ユニットが用いられる前記シートのシート環境についての制御を行うシート環境制御ユニット。
【請求項１０】
輸送用移動体の乗員となるユーザに携帯され、
前記乗員となるユーザが含まれるグループの各ユーザの前記輸送用移動体のシートの予約をまとめて行う予約システム（３）から送信される、予約された前記グループの各ユーザのシートの位置を示す予約位置を含む予約情報を、取得する予約情報取得部（２１）と、
予約された前記グループの各ユーザのシートのシート環境についての設定であるシート環境設定を受け付け可能な設定入力部（２４）と、
予約された前記シートに対応する、そのシートで用いられてそのシートのシート環境についての制御を行うシート環境制御ユニット（１０，５０，７０）と無線通信可能に接続してそのシート環境制御ユニットと通信を行う携帯側無線通信部（２５）とを備え、
前記携帯側無線通信部は、前記設定入力部で受け付ける前記グループの各ユーザのシートについてのシート環境設定と、前記予約情報取得部で取得する前記予約情報に含まれる前記予約位置とを、接続される前記シート環境制御ユニットに送信することで、この予約位置をもとに、予約された前記グループの各ユーザのシートに対応する前記シート環境制御ユニットに、対応する前記シート環境設定を伝達させる携帯端末。
【発明の詳細な説明】
【技術分野】
【０００１】
本開示は、輸送用移動体のシートごとにシート環境に関する制御を行うシート環境制御システム、並びにそのシート環境制御システムに含まれるシート環境制御ユニット及び携帯端末に関するものである。
【背景技術】
【０００２】
従来、例えば特許文献１に、車両のシートごとに設けられ、対応するシートを空調するシート空調装置が開示されているように、輸送用移動体のシートに着座する乗員に対する個別の空調である個別空調を行う技術が知られている。
【０００３】
また、近年では、スマートフォンといった携帯端末を車載装置の操作用リモコンとして用いる技術が知られている。例えば、特許文献２には、スマートフォンと車両空調制御機器とを無線通信規格を利用して通信を行う無線通信機を介して通信可能とし、スマートフォンを、車両空調制御機器が制御する空調部の操作用リモコンとして用いる技術が開示されている。
【先行技術文献】
【特許文献】
【０００４】
【特許文献１】特開２００９−７３２１８号公報
【特許文献２】特開２０１４−１９３５１号公報
【発明の概要】
【発明が解決しようとする課題】
【０００５】
特許文献１に開示されているような、車両のシートごとに設けられるシート空調装置を、特許文献２に開示されているように、スマートフォンといった携帯端末を操作用リモコンとして制御しようとする場合、１つの携帯端末では１つのシートに対応するシート空調装置しか制御できないことになる。よって、シートごとに設けられるシート空調装置を、携帯端末を介して制御しようとする場合、シートごとに携帯端末が必要となる。しかしながら、シートごとに携帯端末が必要となる場合、例えば高齢者，子供といった携帯端末を携帯していないユーザは、携帯端末を介してシート空調装置を制御して好みの空調状態に調整することができなくなってしまう。
【０００６】
この開示のひとつの目的は、輸送用移動体のシートごとにシート環境を制御するシート環境制御ユニットが用いられている場合であっても、ユーザのグループ内につき１つの携帯端末で、このグループ内の各ユーザの着座するシートのシート環境を調整することを可能にするシート環境制御システム、シート環境制御ユニット、及び携帯端末を提供することにある。
【課題を解決するための手段】
【０００７】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００８】
上記目的を達成するために、本開示のシート環境制御システムは、輸送用移動体に設けられる複数のシートごとに用いられる、そのシートのシート環境についての制御を行うシート環境制御ユニット（１０，５０，７０）と、輸送用移動体の乗員となるユーザが携帯する携帯端末（２）とを含み、携帯端末は、乗員となるユーザが含まれるグループの各ユーザのシートの予約をまとめて行う予約システム（３）から送信される、予約されたグループの各ユーザのシートの位置を示す予約位置を含む予約情報を、取得する予約情報取得部（２１）と、予約されたグループの各ユーザのシートのシート環境についての設定であるシート環境設定を受け付け可能な設定入力部（２４）と、予約されたシートに対応するシート環境制御ユニットと無線通信可能に接続してそのシート環境制御ユニットと通信を行う携帯側無線通信部（２５）とを備え、携帯側無線通信部は、設定入力部で受け付けるグループの各ユーザのシートについてのシート環境設定を、接続されるシート環境制御ユニットに送信することで、予約情報取得部で取得する予約情報に含まれる予約位置をもとに、予約されたグループの各ユーザのシートに対応するシート環境制御ユニットに、対応するシート環境設定を伝達させ、シート環境制御ユニットは、自ユニットに対応するシート環境設定が伝達されてくる場合に、このシート環境設定に従って、自ユニットが用いられるシートのシート環境についての制御を行うシート環境制御部（１１５，５１５，７１５）を備える。
【０００９】
これによれば、携帯端末は、乗員となるユーザが含まれるグループの各ユーザのシートの予約をまとめて行う予約システムから送信される、予約されたグループの各ユーザのシートの位置を示す予約位置を含む予約情報を、取得する予約情報取得部を備えるので、ユーザのグループ内につき１つの携帯端末でグループの各ユーザの予約位置を取得することが可能になる。また、携帯端末は、予約されたグループの各ユーザのシート環境についての設定であるシート環境設定を受け付ける設定入力部を備えるので、ユーザのグループ内につき１つの携帯端末でグループの各ユーザのシートのシート環境設定を行うことが可能になる。
【００１０】
そして、携帯側無線通信部は、設定入力部で受け付けるグループの各ユーザのシートについてのシート環境設定を、接続されるシート環境制御ユニットに送信することで、予約情報取得部で取得する予約情報に含まれる予約位置をもとに、予約されたグループの各ユーザのシートに対応するシート環境制御ユニットに、対応するシート環境設定を伝達させ、シート環境制御ユニットは、自ユニットに対応するシート環境設定が伝達されてくる場合に、このシート環境設定に従って、自ユニットが用いられるシートのシート環境についての制御を行う。よって、ユーザのグループ内につき１つの携帯端末で、このグループ内の各ユーザの着座するシートのシート環境を調整することが可能になる。
【００１１】
その結果、輸送用移動体のシートごとにシート環境を制御するシート環境制御ユニットが設けられている場合であっても、ユーザのグループ内につき１つの携帯端末で、このグループ内の各ユーザの着座するシートのシート環境を調整することが可能になる。
【００１２】
上記目的を達成するために、本開示のシート環境制御ユニットは、輸送用移動体に設けられる複数のシートごとに用いられるシート環境制御ユニットであって、自ユニットが用いられるシート以外のシートで用いられる他のシート環境制御ユニットと通信可能にネットワーク接続されるものであり、自ユニットが用いられるシートのシート環境についての制御を行うシート環境制御部（１１５，５１５，７１５）と、輸送用移動体の乗員となるユーザが携帯する携帯端末（２）と無線通信可能に接続してその携帯端末と通信を行い、その携帯端末が、乗員となるユーザが含まれるグループの各ユーザのシートの予約をまとめて行う予約システム（３）から取得する、予約されたグループの各ユーザのシートの位置を示す予約位置を含む予約情報を受信するシート側無線通信部（１２）と、他のシート環境制御ユニットと通信を行うシート間通信部（１３）とを備え、シート側無線通信部は、携帯端末から送信されてくる、その携帯端末で受け付けるグループの各ユーザのシートについてのシート環境設定と、それらのシート環境設定に紐付けられる、それらのシートに対応する予約位置とを受信し、シート間通信部は、携帯端末から受信する、グループの各ユーザのシートに対応する予約位置をもとにして、予約されたグループの各ユーザのシートに対応する自ユニット以外の残りのシート環境制御ユニットに、対応するシート環境設定を送信し、シート環境制御部は、他のシート環境制御ユニットから自ユニットに対応するシート環境設定が伝達されてくる場合に、このシート環境設定に従って、自ユニットが用いられるシートのシート環境についての制御を行う。
【００１３】
これによれば、シート側無線通信部は、輸送用移動体の乗員となるユーザが携帯する携帯端末から送信される、その携帯端末が、乗員となるユーザが含まれるグループの各ユーザのシートの予約をまとめて行う予約システムから取得する、予約されたグループの各ユーザのシートの位置を示す予約位置を含む予約情報に含まれるこの予約位置をもとに、自ユニットが、予約されたシートに対応するシート環境制御ユニットである場合に、その携帯端末と無線通信可能に接続してその携帯端末と通信を行い、携帯端末から送信されてくる、その携帯端末で受け付けるグループの各ユーザのシートについてのシート環境設定と、それらのシート環境設定に紐付けられる、それらのシートに対応する予約位置とを受信する。
【００１４】
よって、ユーザのグループ内につき１つの携帯端末であっても、シート環境制御ユニットが、グループの各ユーザの予約位置及びグループの各ユーザのシート別のシート環境設定を得ることが可能になる。また、シート間通信部は、携帯端末から受信する、グループの各ユーザのシートに対応する予約位置をもとにして、予約されたグループの各ユーザのシートに対応する残りのシート環境制御ユニットに、対応するシート環境設定を送信するので、予約されたグループの各ユーザのシートに対応するシート環境制御ユニットに、対応するシート環境設定を伝達することが可能になる。そして、シート環境制御部は、他のシート環境制御ユニットから自ユニットに対応するシート環境設定が伝達されてくる場合に、このシート環境設定に従って、自ユニットが用いられるシートのシート環境についての制御を行うので、ユーザのグループ内につき１つの携帯端末であっても、このグループ内の各ユーザの着座するシートのシート環境を調整することが可能になる。
【００１５】
その結果、輸送用移動体のシートごとにシート環境を制御するシート環境制御ユニットが設けられている場合であっても、ユーザのグループ内につき１つの携帯端末で、このグループ内の各ユーザの着座するシートのシート環境を調整することが可能になる。
【００１６】
上記目的を達成するために、本開示の携帯端末は、輸送用移動体の乗員となるユーザに携帯され、乗員となるユーザが含まれるグループの各ユーザの輸送用移動体のシートの予約をまとめて行う予約システム（３）から送信される、予約されたグループの各ユーザのシートの位置を示す予約位置を含む予約情報を、取得する予約情報取得部（２１）と、予約されたグループの各ユーザのシートのシート環境についての設定であるシート環境設定を受け付け可能な設定入力部（２４）と、予約されたシートに対応する、そのシートで用いられてそのシートのシート環境についての制御を行うシート環境制御ユニット（１０，５０，７０）と無線通信可能に接続してそのシート環境制御ユニットと通信を行う携帯側無線通信部（２５）とを備え、携帯側無線通信部は、設定入力部で受け付けるグループの各ユーザのシートについてのシート環境設定と、予約情報取得部で取得する予約情報に含まれる予約位置とを、接続されるシート環境制御ユニットに送信することで、この予約位置をもとに、予約されたグループの各ユーザのシートに対応するシート環境制御ユニットに、対応するシート環境設定を伝達させる。
【００１７】
これによれば、携帯端末は、乗員となるユーザが含まれるグループの各ユーザのシートの予約をまとめて行う予約システムから送信される、予約されたグループの各ユーザのシートの位置を示す予約位置を含む予約情報を、取得する予約情報取得部を備えるので、ユーザのグループ内につき１つの携帯端末でグループの各ユーザの予約位置を取得することが可能になる。また、携帯端末は、予約されたグループの各ユーザのシートのシート環境についての設定であるシート環境設定を受け付ける設定入力部を備えるので、ユーザのグループ内につき１つの携帯端末でグループの各ユーザのシートのシート環境設定を行うことが可能になる。
【００１８】
そして、携帯側無線通信部は、設定入力部で受け付けるグループの各ユーザのシートについてのシート環境設定と、予約情報取得部で取得する予約情報に含まれる予約位置とを、接続されるシート環境制御ユニットに送信することで、この予約位置をもとに、予約されたグループの各ユーザのシートに対応するシート環境制御ユニットに、対応するシート環境設定を伝達させる。よって、個々のシート環境制御ユニットにおいて、対応するシート環境設定に従った、シート環境についての制御を行わせることが可能になる。従って、ユーザのグループ内につき１つの携帯端末で、このグループ内の各ユーザの着座するシートのシート環境を調整することが可能になる。
【００１９】
その結果、輸送用移動体のシートごとにシート環境を制御するシート環境制御ユニットが設けられている場合であっても、ユーザのグループ内につき１つの携帯端末で、このグループ内の各ユーザの着座するシートのシート環境を調整することが可能になる。
【図面の簡単な説明】
【００２０】
【図１】移動体用システム１００の概略的な構成の一例を示す図である。
【図２】シート環境制御ユニット１０の概略的な構成の一例を示す図である。
【図３】空調ユニット１４の概略的な構成の一例を示す図である。
【図４】携帯端末２の概略的な構成の一例を示す図である。
【図５】携帯端末２の表示部２３による設定表示の一例を示す図である。
【図６】移動体用システム１００でのシート予約関連処理の流れの一例を示すシーケンス図である。
【図７】シートＥＣＵ１１の概略的な構成の一例を示す図である。
【図８】移動体用システム１００でのシート環境調整関連処理の流れの一例を示すシーケンス図である。
【図９】移動体用システム２００の概略的な構成の一例を示す図である。
【図１０】シートＥＣＵ５１の概略的な構成の一例を示す図である。
【図１１】移動体用システム３００の概略的な構成の一例を示す図である。
【図１２】シートＥＣＵ７１の概略的な構成の一例を示す図である。
【発明を実施するための形態】
【００２１】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００２２】
（実施形態１）
＜移動体用システム１００の概略構成＞
以下、本実施形態について図面を用いて説明する。図１に示すように、移動体用システム１００は、移動体側システム１、携帯端末２、及び予約システム３を含んでいる。
【００２３】
移動体側システム１は、複数の座席（つまり、シート）Ｓｅが設けられた、乗合タクシー，バス，鉄道車両，航空機，船舶等のシートＳｅの予約（以下、シート予約）が可能な旅客輸送を行う輸送用移動体で用いられる。本実施形態では、便宜上、シートＳｅとして、５つのシートＳｅＡ，ＳｅＢ，ＳｅＣ，ＳｅＤ，ＳｅＥを例に挙げて説明を行う。また、シートＳｅＡ〜ＳｅＣの３つのシートＳｅがユーザＵａ，Ｕｂ，ＵｃのグループＧｒによって予約されるシートＳｅとする。なお、輸送用移動体のシートＳｅの数は、４つ以下でも６つ以上であっても構わない。移動体側システム１の詳細については後述する。
【００２４】
携帯端末２は、輸送用移動体の乗員となるユーザＵａに携帯される。ユーザＵａは、例えば家族，友人といった輸送用移動体を伴に利用するグループＧｒの一員であって、グループＧｒにはユーザＵａの他にユーザＵｂ，Ｕｃが含まれるものとする。ユーザＵｂ，Ｕｃは携帯端末２を携帯していてもいなくても構わない。ユーザＵａ，Ｕｂ，Ｕｃの個々を区別しない場合にはユーザＵと呼ぶ。なお、本実施形態ではグループＧｒの構成人員が３名の場合を例に挙げて説明を行うが、２名であっても４名以上であっても構わない。携帯端末２としては、人が携帯可能であって特定の通信機能を有する端末であればよく、例えば多機能携帯電話機，タブレット端末，ノートＰＣ等を用いることができる。以下では、携帯端末２として、スマートフォンといった多機能携帯電話機を用いる場合を例に挙げて説明を行う。携帯端末２の詳細については後述する。
【００２５】
予約システム３は、サーバ装置等からなるものであって、輸送用移動体のシートＳｅの予約（以下、シート予約）を行う。予約システム３は、公衆通信網に接続されており、この公衆通信網を介して携帯端末２と通信を行う。予約システム３は、１つのサーバ装置からなるものであってもよいし、複数のサーバ装置からなっているものであってもよい。予約システム３は、ユーザの携帯端末２を介してシート予約を行う。一例として、ユーザが携帯端末２で輸送用移動体の予約専用ブラウザを操作して予約システム３にアクセスし、予約専用ブラウザに表示される予約項目の選択を行うことでシート予約が行われる構成とすればよい。
【００２６】
予約項目の選択としては、シート予約を行う輸送用移動体の選択，シート予約を行う輸送用移動体の出発日時の選択，シート予約を行うシートの位置（以下、予約位置）の選択がある。輸送用移動体の選択の一例としては、個々の輸送用移動体を識別する番号を選択する構成とすればよい。予約位置としては、シートの位置を示すものであればよく、例えばシート番号を用いる構成とすればよい。また、予約項目の選択としては、シート予約を行う利用区間の選択も可能な構成が好ましい。本実施形態では、シート予約を行う利用区間の選択も可能である場合を例に挙げて以降の説明を行う。なお、輸送用移動体の目的地が一箇所しかなく利用区間を選択する必要のない場合には、予約情報に利用区間を含まない構成とすればよい。
【００２７】
利用区間は、輸送用移動体が乗合タクシーである場合には、交差点等のノード間とすればよく、輸送用移動体がバスである場合には、バス停留所間とすればよく、輸送用移動体が鉄道車両である場合には、駅間とすればよい。また、輸送用移動体が船舶である場合には港間とすればよく、輸送用移動体が航空機である場合には空港間とすればよい。さらに、鉄道車両のように複数の車両に区分されている場合には、輸送用移動体の選択に、シート予約を行う車両の号車番号の選択も含むものとすればよい。
【００２８】
予約システム３では、携帯端末２を介したシート予約で選択された輸送用移動体の番号、出発日時、予約位置、及び利用区間といった予約情報を、個々のシート予約を識別する識別情報（以下、予約ＩＤ）と紐付けて不揮発性メモリに蓄積する。また、予約システム３は、この予約ＩＤを、シート予約を行った携帯端末２に送信する。
【００２９】
＜移動体側システム１の概略構成＞
続いて、図１を用いて、移動体側システム１の概略構成について説明を行う。移動体側システム１は、前述したように輸送用移動体で用いられるものであり、図１に示すように、複数のシートＳｅごとに用いられるシート環境制御ユニット１０、ロケータ２０、及び輸送用移動体内のＬＡＮバス３０を含んでいる。個々のシート環境制御ユニット１０とロケータ２０とは、ＬＡＮバス３０に接続されている。
【００３０】
ロケータ２０は、ＧＮＳＳ（Global Navigation Satellite System）受信機，慣性センサ，地図データを格納した地図データベース（以下、ＤＢ）を備えている。ＧＮＳＳ受信機は、複数の人工衛星からの測位信号を受信する。慣性センサは、例えばジャイロセンサ及び加速度センサを備える。ロケータ２０は、ＧＮＳＳ受信機で受信する測位信号と、慣性センサの計測結果とを組み合わせることにより、輸送用移動体の位置を逐次測位する。なお、ロケータ２０は、ナビゲーション装置であってもよい。また、地図データは、輸送用移動体外から取得する構成としてもよい。
【００３１】
シート環境制御ユニット１０は、輸送用移動体のシートＳｅごとに設けられ、シートＳｅのシート環境についての制御を行う。一例としては、シートＳｅに着座する乗員に対する個別の空調（以下、個別空調）の制御を行う。このシート環境制御ユニット１０と携帯端末２とを含む構成がシート環境制御システムに相当する。シート環境制御ユニット１０の詳細については後述する。本実施形態では、個々のシートごとの区別を行わない場合を除いて、シートＳｅＡのシート環境制御ユニット１０をシート環境制御ユニット１０ａ，シートＳｅＢのシート環境制御ユニット１０をシート環境制御ユニット１０ｂ，シートＳｅＣのシート環境制御ユニット１０をシート環境制御ユニット１０ｃ，シートＳｅＤのシート環境制御ユニット１０をシート環境制御ユニット１０ｄ，シートＳｅＥのシート環境制御ユニット１０をシート環境制御ユニット１０ｅと呼ぶ。
【００３２】
＜シート環境制御ユニット１０の概略構成＞
続いて、図２，図３を用いてシート環境制御ユニット１０の概略構成について説明を行う。シート環境制御ユニット１０は、図２に示すように、シートＥＣＵ１１、近距離通信部１２、ＬＡＮ通信部１３、及び空調ユニット１４を備えている。
【００３３】
近距離通信部１２は、近距離無線通信規格を利用して携帯端末２と通信を行う。本実施形態では、近距離通信部１２は、Ｂｌｕｅｔｏｏｔｈ（登録商標）の近距離無線通信規格を利用して携帯端末２と通信を行う場合を例に挙げて以降の説明を行う。近距離通信部１２は、携帯端末２とペアリングして無線通信可能に接続し、通信を行う。この近距離通信部１２がシート側無線通信部に相当する。
【００３４】
ＬＡＮ通信部１３は、自ユニットとしてのシート環境制御ユニット１０以外の、ＬＡＮバス３０に接続されているシート環境制御ユニット１０とＬＡＮバス３０を介して通信を行う。ＬＡＮ通信部１３は、ロケータ２０ともＬＡＮバス３０を介して通信を行う。ＬＡＮ通信部１３は、ＬＡＮバス３０に情報を出力したり、ＬＡＮバス３０に出力された情報を取得してシートＥＣＵ１１に出力したりするものである。このＬＡＮ通信部１３がシート間通信部に相当する。
【００３５】
空調ユニット１４は、空気を冷却及び加温する機械的構成である。空調ユニット１４は、図３に示すように、冷凍サイクル装置１４０、加熱装置１４５、第１送風機１４６、及び第２送風機１４７を備える。空調ユニット１４は、例えばシートＳｅの座面の下部に設けられる構成とすればよい。
【００３６】
冷凍サイクル装置１４０は、冷媒の蒸気圧縮冷凍サイクルを利用して空気を冷却するものであり、圧縮機１４１、凝縮器１４２、減圧部１４３、及び蒸発器１４４を備える。圧縮機４２１、凝縮器４２２、減圧部４２３、及び蒸発器４２４は、冷媒が流れる閉回路であるバイパス管路に設けられる。冷媒としては、Ｒ１３４ａ，Ｒ１５２ａ等の地球温暖化係数の小さいフロンガス又はプロパン等のＨＣガスを用いる構成とすればよい。
【００３７】
圧縮機１４１は、輸送用移動体のバッテリから供給される直流電圧で駆動される電動圧縮機であり、バイパス管路を流れる冷媒を圧縮して冷媒温度を上昇させる。圧縮機１４１は、低圧冷媒を吸引し、この低圧冷媒を加圧して高圧冷媒を吐出する。圧縮機１４１は、圧縮した高圧冷媒を凝縮器１４２に供給する。圧縮機１４１は、コンプレッサとも呼ばれる。
【００３８】
凝縮器１４２は、第１送風機１４６により送風される空気と冷媒との間の熱交換を提供することによって、冷媒の熱を放熱させる。凝縮器１４２は放熱器とも呼ばれる。凝縮器１４２で放熱された冷媒は、減圧部１４３に供給される。減圧部１４３は、凝縮器１４２から供給される冷媒を減圧することにより低温低圧の冷媒を生成し、蒸発器１４４に供給する。
【００３９】
蒸発器１４４は、第２送風機１４７により送風される空気と低温冷媒との間の熱交換を提供することによって、第２送風機１４７により送風される空気を冷却する。これにより、第２送風機１４７により送風される空気が冷風となって吹出用ダクトに供給される。また、蒸発器１４４で冷却された冷媒は、圧縮機１４１に供給される。なお、蒸発器１４４は、吸熱器とも呼ばれる。このように冷媒が冷凍サイクル装置１４０を循環しつつ、第２送風機１４７により送風された空気が冷却されて冷風が吹出用ダクトに供給される。
【００４０】
加熱装置１４５は、ＰＴＣヒータ、熱線式ヒータ等からなる電気ヒータであり、凝縮器１４２を通過した暖気を加熱し、暖気の温度をさらに昇温させる。加熱装置１４５により加熱された温風も吹出用ダクトに供給される。空調ユニット１４は、例えばエアミックスダンパによって、冷風の吹出口から排出される冷風を吹出用ダクトに流通させる量と、温風の吹出口から排出される温風を吹出用ダクトに流通させる量とを調整することで、吹出用ダクトに供給される空調風の温度を調整する。
【００４１】
吹出用ダクトは、例えば吹出口がシートＳｅの座面，シートバック，シートバックとヘッドレストとの間等に設けられており、それぞれの吹出口から吹き出される空調風が、シートＳｅに着座する乗員の臀部，背中，首筋等に当たるようになっている構成とすればよい。なお、吹出口はシートＳｅに着座する乗員の他の部位に当たるように設けられている構成としてもよいし、乗員に空調風を直接当てずに乗員を空調風で包み込むように設けられている構成としてもよい。
【００４２】
シートＥＣＵ１１は、プロセッサ、メモリ、Ｉ／Ｏ、これらを接続するバスを備えるマイクロコンピュータを主体として構成され、メモリに記憶された制御プログラムを実行することでシートＳｅのシート環境についての制御に関する各種の処理を実行する電子制御装置である。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体である。非遷移的実体的記憶媒体は、半導体メモリ又は磁気ディスクなどによって実現される。なお、シートＥＣＵ１１の詳細については以下で述べる。
【００４３】
＜携帯端末２の概略構成＞
続いて、図４を用いて、携帯端末２の概略構成について説明を行う。携帯端末２は、グループＧｒの代表としてグループＧｒの各ユーザＵのシート予約を行うユーザＵａに携帯される。携帯端末２は、図４に示すように、主制御部２１、広域通信部２２、表示部２３、操作入力部２４、及び近距離通信部２５を備えている。
【００４４】
広域通信部２２は、公衆通信網に接続し、この公衆通信網を介して予約システム３と通信を行う。表示部２３は、主制御部２１の指示に従って表示を行う。操作入力部２４は、ユーザＵからの操作入力を受け付ける。操作入力部２４は、メカニカルなスイッチであってもよいし、表示部２３と一体となったタッチパネルであってもよい。この操作入力部２４が設定入力部に相当する。本実施形態では、操作入力部２４が、表示部２３と一体となったタッチパネルである場合を例に挙げて以降の説明を行う。近距離通信部２５は、近距離無線通信規格を利用してシート環境制御ユニット１０と通信を行う。本実施形態では、近距離通信部２５は、Ｂｌｕｅｔｏｏｔｈの近距離無線通信規格を利用してシート環境制御ユニット１０と通信を行う場合を例に挙げて以降の説明を行う。
【００４５】
主制御部２１は、プロセッサ、メモリ、Ｉ／Ｏ、これらを接続するバスを備えるマイクロコンピュータを主体として構成され、メモリに記憶された制御プログラムを実行することで各種の処理を実行する。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体である。非遷移的実体的記憶媒体は、半導体メモリなどによって実現される。
【００４６】
主制御部２１は、輸送用移動体のシート予約を行うアプリケーション（以下、予約アプリ）を実行する。予約アプリの実行時には、主制御部２１は、広域通信部２２を介して予約システム３にアクセスするとともに、表示部２３に輸送用移動体の予約専用ブラウザを表示させる。そして、操作入力部２４を介してユーザＵａが行う予約項目の選択に応じた予約情報を、広域通信部２２を介して予約システム３に送信することでシート予約を行う。予約システム３では、前述したように、携帯端末２から受信するこの予約情報を、不揮発性メモリに予約ＩＤと紐付けて蓄積するとともに、この予約ＩＤを携帯端末２に送信する。そして、シート予約を行った携帯端末２は、予約システム３から返信されてくる、このシート予約に対応する予約ＩＤを、広域通信部２２を介して取得し、主制御部２１の不揮発性メモリに記憶する。
【００４７】
なお、本実施形態では、シート予約によって、ユーザＵａのシートＳｅとしてはシートＳｅＡ，ユーザＵｂのシートＳｅとしてはシートＳｅＢ，ユーザＵｃのシートＳｅとしてはシートＳｅＣが予約される場合を例に挙げて以降の説明を行う。また、シートＳｅＡのシート番号は「０１」，シートＳｅＢのシート番号は「０２」，シートＳｅＣのシート番号は「０３」であるものとして以降の説明を行う。
【００４８】
また、主制御部２１は、輸送用移動体のシートＳｅごとのシート環境の調整を行うアプリケーション（以下、調整アプリ）を実行する。調整アプリの実行時には、主制御部２１は、不揮発性メモリに記憶している予約ＩＤを読み出し、この予約ＩＤを、広域通信部２２を介して予約システム３に送信する。携帯端末２から送信されるこの予約ＩＤを受信する予約システム３は、不揮発性メモリにおいてこの予約ＩＤと紐付けて蓄積されている予約情報を読み出し、この予約情報を携帯端末２に返信する。予約ＩＤを送信した携帯端末２は、この予約ＩＤの送信に応じて予約システム３から返信されてくる予約情報を、広域通信部２２を介して取得する。よって、主制御部２１が予約情報取得部に相当する。
【００４９】
近距離通信部２５は、シート予約を行った携帯端末２のユーザＵａのシートＳｅＡで用いられるシート環境制御ユニット１０ａとペアリングを行い、無線通信可能に接続する。言い換えると、複数のシート環境制御ユニット１０のうちの１つに絞って無線通信可能に接続する。そして、ペアリングを行ったシート環境制御ユニット１０ａと通信を行う。よって、この近距離通信部２５が携帯側無線通信部に相当する。
【００５０】
シート環境制御ユニット１０ａを特定してペアリングを行う方法としては、例えば以下のような例がある。例えば、シート予約を行ったグループＧｒの各ユーザＵに対して発券される、シート予約を行ったシートＳｅについての物理的なチケットに、それぞれのシートＳｅに用いられるシート環境制御ユニット１０と通信接続を確立するために必要な情報（以下、ＢＤアドレス）を含む２次元コードを付しておく。そして、携帯端末２に備えられている２次元コードの読み取り装置によって、ユーザＵａに対して発券されるチケットに付されている２次元コードを読み取ることで、シート環境制御ユニット１０ａとペアリングするためのＢＤアドレスを抽出し、このＢＤアドレスを用いて近距離通信部２５がシート環境制御ユニット１０ａとペアリングを行う構成とすればよい。
【００５１】
他にも、携帯端末２とのペアリング候補となるシート環境制御ユニット１０からペアリング対象を選択させる表示を表示部２３に行わせ、操作入力部２４で受け付けるペアリング対象の選択結果に応じたシート環境制御ユニット１０ａとペアリングを行う構成としてもよい。ペアリング対象を選択させる表示としては、例えばペアリング候補となるシート環境制御ユニット１０が用いられるシートＳｅのシート番号を表示させ、ユーザＵａに自身の予約位置と同じシート番号を選択させる構成とすればよい。
【００５２】
調整アプリ実行時において、主制御部２１は、シート予約を行ったグループＧｒの各ユーザＵのシートＳｅ別にシート環境についての設定（以下、シート環境設定）を受け付けるための表示を表示部２３に行わせる。本実施形態では、シート環境設定として、例えば個別空調の温度設定，個別空調の風量設定を受け付ける。
【００５３】
ここで、図５を用いて、携帯端末２の表示部２３による、予約されたグループＧｒの各ユーザＵのシートＳｅ別にシート環境設定を受け付けるための表示（以下、設定表示）の一例を示す。図５のＡが携帯端末２の画面を示している。設定表示では、シート環境設定の値を調整するための表示が行われるものとする。例えば、図５のＢ〜Ｄがシート環境設定の値を調整するための表示にあたる。Ｂが、個別空調の暖房と冷房とを切り替えるスイッチ表示を示している。Ｃが、個別空調の温度の設定値を上下させるためのスイッチ表示を示している。Ｄが、個別空調の温度の設定値を表す表示を示している。Ｅが、個別空調の風量の設定値を上下させるためのスイッチ表示を示している。Ｅは、個別空調の風量の設定値のレベルを表す表示も兼ねている。一例として、ユーザは、Ｅに示す５段階といった多段階のバーのスイッチ表示をタッチし、上下にドラッグすることで風量の設定値を上下させる。操作入力部２４は、これらのシート環境設定を受け付ける。
【００５４】
また、設定表示では、シート予約を行ったグループＧｒの各ユーザＵのシートＳｅ別のシート環境設定を選択するための表示が行われるものとする。例えば、図５のＦ〜Ｉに示すように、シート環境設定の対象とするシートＳｅを、シート予約を行ったグループＧｒの各ユーザＵのシートＳｅから選択するための表示を行う構成とすればよい。
【００５５】
図５のＦ〜Ｈは、シート環境設定の対象とするシートＳｅを、シート予約を行ったグループＧｒの各ユーザＵのシートＳｅから個別に選択するための表示である。より詳しくは、ＦがシートＳｅＡのシート番号「０１」を示すスイッチ表示，ＧがシートＳｅＢのシート番号「０２」を示すスイッチ表示，ＨがシートＳｅＣのシート番号「０３」を示すスイッチ表示である。例えば、Ｆのスイッチ表示を選択する操作を操作入力部２４で受け付けると、シートＳｅＡについてのシート環境設定を行うための表示に切り替わり、Ｂ，Ｃ，Ｅのスイッチ表示の操作によって、シートＳｅＡについてのシート環境設定が可能となる。Ｇ，Ｈについてもそれぞれ同様である。
【００５６】
図５のＩは、シート環境設定の対象とするシートＳｅを、シート予約を行ったグループＧｒの各ユーザＵのシートＳｅから全部まとめて選択するための表示である。より詳しくは、Ｉが、シート予約を行ったグループＧｒの各ユーザＵのシートＳｅ全部「ＡＬＬ」を示すスイッチ表示である。Ｉのスイッチ表示を選択する操作を操作入力部２４で受け付けると、シートＳｅＡ〜ＳｅＣについてのシート環境設定を一律にまとめて行うための表示に切り替わり、シートＳｅＡ〜ＳｅＣについての一律にまとめたシート環境設定が可能となる。例えば、Ｉのスイッチ表示を選択する操作を操作入力部２４で受け付けると、シートＳｅＡ〜ＳｅＣについてのシート環境設定を行うための表示に切り替わり、Ｂ，Ｃ，Ｅのスイッチ表示の操作によって、シートＳｅＡ〜ＳｅＣについての一律にまとめたシート環境設定が可能となる。シート環境設定の確定は、例えばシート環境設定の確定を示すスイッチ表示を操作することで行われる等すればよい。
【００５７】
なお、図５では、シート環境設定を行うシートＳｅごとに表示を切り替えることで、シートＳｅごとのシート環境設定を行うことを可能にする構成の例を示したが、必ずしもこれに限らない。例えば、１つの画面内で複数のシートＳｅについてのシート環境設定を受け付ける表示を同時に行わせることで、表示を切り替えずにシートＳｅごとのシート環境設定を行うことを可能にする構成としてもよい。
【００５８】
また、図５では、シート環境設定の対象とするシートＳｅを、シート予約を行ったグループＧｒの各ユーザＵのシートＳｅから個別に選択することが可能な構成を示したが、必ずしもこれに限らない。例えば、シート環境設定の対象とするシートＳｅを、シート予約を行ったグループＧｒの各ユーザＵのシートＳｅから個別に選択できず、このグループＧｒの各ユーザＵのシートＳｅ全部を対象とする構成としてもよい。この場合、シートＳｅＡ〜ＳｅＣについてのシート環境設定は一律にまとめて行われることになる。
【００５９】
主制御部２１は、調整アプリの実行時において、操作入力部２４で受け付けたグループＧｒのユーザＵａ〜ＵｃのシートＳｅＡ〜ＳｅＣについての確定済みのシート環境設定を、取得した前述の予約情報と紐付けて、近距離通信部２５から、ペアリング中のシート環境制御ユニット１０ａに送信させる。予約情報のうちの予約位置については、対応するシートＳｅごとに、個々のシート環境設定と紐付けて送信させる構成とすればよい。主制御部２１は、調整アプリ実行時において、シート環境設定及び予約情報の送信を、シート環境設定が変更されるごとに行わせる構成とすればよい。
【００６０】
なお、前述した、シート予約を行ったグループＧｒの各ユーザＵのシートＳｅ全部を対象とする構成を採用する場合、主制御部２１は、予約情報のうちの予約位置について、対応するシートＳｅごとに個々のシート環境設定と紐付けることまでせず、予約情報をシート環境設定に紐付けて送信させる構成とすることが好ましい。
【００６１】
＜移動体用システム１００でのシート予約関連処理＞
ここで、図６のシーケンス図を用いて、移動体用システム１００でのシート予約に関連する処理（以下、シート予約関連処理）の流れの一例について説明を行う。なお、シート予約関連処理は、例えば携帯端末２で予約アプリを起動した場合に開始される構成とすればよい。
【００６２】
まず、ユーザＵａが操作入力部２４を介して携帯端末２で輸送用移動体の予約専用ブラウザを操作して予約システム３にアクセスし、予約専用ブラウザに表示される予約項目の選択を行うシート予約操作を行う（ｔ１）。携帯端末２の広域通信部２２が、シート予約操作で選択された輸送用移動体の番号、出発日時、予約位置、及び利用区間といった予約情報を、予約システム３に送信し、予約システム３がこの予約情報を受信する（ｔ２）。
【００６３】
予約システム３は、受信する予約情報に従ってシート予約を行うとともに、受信する予約情報を、このシート予約についての予約ＩＤと紐付けて不揮発性メモリに蓄積する（ｔ３）。また、予約システム３は、この予約ＩＤを携帯端末２に返信し、携帯端末２の広域通信部２２がこの予約ＩＤを受信する（ｔ４）。携帯端末２は、広域通信部２２で受信する予約ＩＤを主制御部２１に出力し、主制御部２１が不揮発性メモリにこの予約ＩＤを記憶する（ｔ５）。予約ＩＤは予約情報よりも情報量が少ないものとする。
【００６４】
＜シートＥＣＵ１１の概略構成＞
続いて、図７を用いてシートＥＣＵ１１の概略構成について説明を行う。シートＥＣＵ１１は、図７に示すように、設定取得部１１１、シート間情報取得部１１２、位置取得部１１３、利用判定部１１４、及びシート環境制御部１１５を備える。
【００６５】
設定取得部１１１は、携帯端末２から送信される予約情報及びシート環境設定を、近距離通信部１２を介して取得する。設定取得部１１１は、取得する予約情報のうちの、自ユニットが用いられるシートＳｅ（以下、自シート）に対応する予約位置に紐付けられているシート環境設定を、シート環境制御部１１５に出力する。一例として、シートＥＣＵ１１の不揮発性メモリに、自ユニットが用いられるシートＳｅのシート番号を予め格納しておくことで、設定取得部１１１がこのシート番号をもとに自シートに対応する予約位置を判別可能とすればよい。設定取得部１１１は、携帯端末２から送信される予約情報を、利用判定部１１４に出力する。
【００６６】
また、設定取得部１１１は、取得する予約情報のうちの自シート以外のシートＳｅ（以下、他シート）に対応する予約位置に紐付けられているシート環境設定を、ＬＡＮ通信部１３に出力し、ＬＡＮ通信部１３から他シートで用いられるシート環境制御ユニット１０に伝達させる。ＬＡＮ通信部１３は、設定取得部１１１は、予約位置をもとに、他シートＳｅで用いられる個々のシート環境制御ユニット１０を区別して、個々のシート環境制御ユニット１０に対応するシート環境設定をそれぞれ伝達する。なお、前述した、シート予約を行ったグループＧｒの各ユーザＵのシートＳｅ全部を対象とする構成を採用する場合、一律に同じシート環境設定が伝達されることになる。
【００６７】
シート間情報取得部１１２は、他のシート環境制御ユニット１０から伝達されてくるシート環境設定を、ＬＡＮ通信部１３を介して取得し、シート環境制御部１１５に出力する。位置取得部１１３は、ロケータ２０から出力される輸送用移動体の位置及び地図データを、ＬＡＮ通信部１３を介して取得し、利用判定部１１４に出力する。
【００６８】
なお、本実施形態では、位置取得部１１３が、ロケータ２０から輸送用移動体の位置及び地図データ取得する場合を例に挙げて説明を行うが、必ずしもこれに限らない。例えば、位置取得部１１３が、近距離通信部１２を介して、携帯端末２のＧＰＳ機能で逐次測位される位置を輸送用移動体の位置として取得したり、携帯端末２の地図アプリで用いられる地図データを取得したりする構成としてもよい。この場合、移動体側システム１にロケータ２０を含まない構成としてもよい。他にも、地図データについては、シート環境制御ユニット１０の不揮発性メモリに予め格納しておくことで、位置取得部１１３がこの不揮発性メモリから地図データを取得する構成としてもよい。
【００６９】
利用判定部１１４は、位置取得部１１３で取得する輸送用移動体の位置及び地図データと、設定取得部１１１から入力される予約情報のうちの利用区間とから、輸送用移動体の位置が利用区間内か利用区間外かを判別する。そして、利用区間外と判別する場合には、利用不可を判定する。また、利用判定部１１４は、設定取得部１１１から入力される予約情報のうちの輸送用移動体の番号が、自ユニットが用いられる輸送用移動体の番号に該当するか否かを判別する。自ユニットが用いられる輸送用移動体の番号については、シートＥＣＵ１１の不揮発性メモリに予め格納しておくことで、利用判定部１１４が参照可能とすればよい。そして、自ユニットが用いられる輸送用移動体の番号に該当しないと判別する場合には、利用不可を判定する。一方、利用区間内と判別するとともに、自ユニットが用いられる輸送用移動体の番号に該当すると判別する場合には、利用可能と判定する。
【００７０】
シート環境制御部１１５は、シート環境についての制御を行う。一例としては、個別空調をオンオフしたり、個別空調の温度を調整したり、個別空調の風量を調整したりする制御を行う。個別空調のオンオフについては、冷凍サイクル装置１４０、加熱装置１４５、第１送風機１４６、及び第２送風機１４７の動作を開始させたり終了させたりすることで行えばよい。温度の調整については、前述のエアミックスダンパによって空調ユニット１４での冷風を吹出用ダクに流通させる量と温風を吹出用ダクトに流通させる量とを調整することで行えばよい。風量の調整については、第１送風機１４６，第２送風機１４７の送風量を調整することで行えばよい。
【００７１】
シート環境制御部１１５は、設定取得部１１１からシート環境設定が入力されてくる場合、つまり、携帯端末２から、自ユニットに対応するシート環境設定が伝達されてくる場合には、携帯端末２から伝達されてくるこのシート環境設定に従って、自シートのシート環境についての制御を行う。一方、シート間情報取得部１１２からシート環境設定が入力されてくる場合、つまり、他のシート環境制御ユニット１０から、自ユニットに対応するシート環境設定が伝達されてくる場合には、他のシート環境制御ユニット１０から伝達されてくるこのシート環境設定に従って、自シートのシート環境についての制御を行う。伝達されてくるシート環境設定に従った、シート環境についての制御の一例としては、個別空調をオンにするとともに、個別空調の温度及び風量をシート環境設定に従った値となるように調整すればよい。
【００７２】
なお、シート環境制御部１１５は、シート環境設定が伝達されてくるまでは、初期値であるデフォルトの設定に従って、シート環境についての制御を行う。例えば、デフォルトの設定では、個別空調はオンに設定されており、シートＥＣＵ５１の起動に伴ってオンになる構成としてもよい。なお、デフォルトの設定では、個別空調はオフの設定されている構成であってもよい。
【００７３】
シート環境制御部１１５は、利用判定部１１４で利用可能と判定する場合には、伝達されてくるシート環境設定に従って、自シートのシート環境についての制御を行う。利用判定部１１４で利用可能と判定する場合、設定取得部１１１は、取得する予約情報のうちの他シートに対応する予約位置に紐付けられているシート環境設定を、ＬＡＮ通信部１３へ出力し、ＬＡＮ通信部１３からこの他シートで用いられる他のシート環境制御ユニット１０へのシート環境設定の伝達を行わせる。これにより、シート予約済みの他シートで用いられる他のシート環境制御ユニット１０に、携帯端末２から伝達されてくるその他シートについてのシート環境設定が伝達され、このシート環境設定に従って、その他シートＳｅのシート環境についての制御が行われる。
【００７４】
一方、シート環境制御部１１５は、利用判定部１１４で利用不可と判定する場合には、自ユニットに対応するシート環境設定が伝達されてくる場合であっても、このシート環境設定に従った、自シートのシート環境についての制御を行わない。利用判定部１１４で利用不可と判定する場合、設定取得部１１１は、取得する予約情報のうちの他シートに対応する予約位置に紐付けられているシート環境設定のＬＡＮ通信部１３への出力を行わず、ＬＡＮ通信部１３から他シートで用いられるシート環境制御ユニット１０へのシート環境設定の伝達を行わせないようにする。これによれば、ユーザＵがシート予約を行った輸送用移動体の、シート予約を行ったシートＳｅの正規の利用区間内でしかシート環境についての制御が許可されないので、シート予約を行った正規のユーザＵのグループＧｒ以外のシートＳｅの利用を防ぐことが可能になる。
【００７５】
さらに、シート環境制御部１１５は、利用判定部１１４で利用可能との判定から利用不可との判定に移行する場合、つまり、携帯端末２から伝達されてくる利用区間内から利用区間外となる場合には、自シートのシート環境についての制御をデフォルトの設定に従った制御に戻す。なお、デフォルトの設定で個別空調のオフが設定されている場合には、個別空調をオフにすることになる。利用判定部１１４で利用可能との判定から利用不可との判定に移行する場合、設定取得部１１１は、デフォルトの設定に戻させる指示を、ＬＡＮ通信部１３を介してシート予約済みの他シートで用いられるシート環境制御ユニット１０へ送信し、その他シートのシート環境についての制御もデフォルトの設定に従った制御に戻させることが好ましい。これによれば、シート予約済みの利用区間の終了時に、自動でグループＧｒのシートＳｅのシート環境設定をまとめてデフォルトの設定に戻すので、ユーザＵが利用区間の終了時にデフォルトの設定に戻すための操作を行う手間を省くことができる。
【００７６】
＜移動体用システム１００でのシート環境調整関連処理＞
続いて、図８のシーケンス図を用いて、移動体用システム１００でのシート環境の調整に関連する処理（以下、シート環境調整関連処理）の流れの一例について説明を行う。図８では、ユーザＵａが携帯する携帯端末２によって、ユーザＵａ〜ＵｃのグループＧｒについて、シートＳｅＡ〜ＳｅＣのシート予約が行われた場合を例に挙げて説明を行う。なお、シート環境調整関連処理は、例えば携帯端末２で調整アプリを起動し、シート環境制御ユニット１０とペアリングした場合に開始される構成とすればよい。図８では、ユーザＵａがシートＳｅＡを自シートと選択し、シートＳｅＡで用いられるシート環境制御ユニット１０ａと携帯端末２とをペアリングさせた場合を例に挙げて説明を行う。
【００７７】
まず、携帯端末２の主制御部２１が、不揮発性メモリに記憶している予約ＩＤを読み出し、この予約ＩＤを、広域通信部２２を介して予約システム３に送信し、この予約ＩＤを予約システム３が受信する（ｔ２１）。携帯端末２から送信されるこの予約ＩＤを受信した予約システム３は、不揮発性メモリにおいてこの予約ＩＤと紐付けて蓄積されている予約情報を読み出す（ｔ２２）。予約システム３は、読み出したこの予約情報を携帯端末２に返信する。そして、この予約情報を携帯端末２の主制御部２１が広域通信部２２を介して取得する（ｔ２３）。
【００７８】
携帯端末２では、主制御部２１が、シート予約を行ったグループＧｒの各ユーザＵａ〜ＵｃのシートＳｅＡ〜ＳｅＣについてのシート環境設定を受け付けるための表示を表示部２３に行わせ、操作入力部２４でシート環境設定を受け付ける（ｔ２４）。なお、ｔ２４の処理は、ｔ２３の後に行われる構成に限らず、調整アプリの起動後からｔ２３までのいずれのタイミングで行われる構成としてもよい。
【００７９】
そして、主制御部２１は、ｔ２３及びｔ２４の処理が行われた後、ｔ２４で受け付けたシート環境設定を、ｔ２３で取得した予約情報と紐付けて、近距離通信部２５から、ペアリング中のシート環境制御ユニット１０ａに送信させる。そして、シート環境制御ユニット１０ａの設定取得部１１１が、このシート環境設定及び予約情報を、近距離通信部１２を介して取得する（ｔ２５）。
【００８０】
シート環境制御ユニット１０ａのシート環境制御部１１５は、利用判定部１１４で利用可能と判定する場合に、携帯端末２から伝達されてくるシート環境設定、つまり、携帯端末２から受信のシート環境設定に従って、シートＳｅＡのシート環境についての制御を行う（ｔ２６）。シート環境制御ユニット１０ａのシート環境制御部１１５は、利用判定部１１４で利用不可と判定する場合には、携帯端末２からシート環境設定が伝達されてくる場合であっても、このシート環境設定に従ったシートＳｅＡのシート環境についての制御を行わない。
【００８１】
また、シート環境制御ユニット１０ａの設定取得部１１１は、利用判定部１１４で利用可能と判定する場合に、取得する予約情報のうちのシートＳｅＢ，ＳｅＣに対応する予約位置に紐付けられているシート環境設定を、ＬＡＮ通信部１３へ出力する。シートＳｅＡ〜ＳｅＣについてのシート環境設定が一律にまとめて行われていた場合には、シートＳｅＢ，ＳｅＣに対応する予約位置であるシート番号「０２」，「０３」には、共通のシート環境設定が紐付けられていることになる。そして、シート環境制御ユニット１０ａのＬＡＮ通信部１３は、シート番号「０２」に紐付けられているシート環境設定は、ＬＡＮバス３０を介して、シート番号「０２」のシートＳｅＢで用いられるシート環境制御ユニット１０ｂに送信する。シート環境制御ユニット１０ｂのシート間情報取得部１１２は、このシート環境設定を、ＬＡＮ通信部１３を介して取得する（ｔ２７）。また、シート番号「０３」に紐付けられているシート環境設定は、ＬＡＮバス３０を介して、シート番号「０３」のシートＳｅＣで用いられるシート環境制御ユニット１０ｃに送信する。シート環境制御ユニット１０ｃのシート間情報取得部１１２は、このシート環境設定を、ＬＡＮ通信部１３を介して取得する（ｔ２８）。なお、ｔ２６〜ｔ２８の処理は順序が入れ替わっても構わない。
【００８２】
シート環境制御ユニット１０ａの設定取得部１１１は、利用判定部１１４で利用不可と判定する場合には、取得する予約情報のうちのシートＳｅＢ，ＳｅＣに対応する予約位置に紐付けられているシート環境設定を、ＬＡＮ通信部１３へ出力しない。よって、これらのシート環境設定は、シート環境制御ユニット１０ｂ，１０ｃに送信されないことになる。
【００８３】
続いて、シート環境制御ユニット１０ｂのシート環境制御部１１５は、ＬＡＮバス３０から伝達されてくるシート環境設定、つまり、ＬＡＮバス３０から取得のシート環境設定に従って、シートＳｅＢのシート環境についての制御を行う（ｔ２９）。シート環境制御ユニット１０ｃのシート環境制御部１１５は、ＬＡＮバス３０から伝達されてくるシート環境設定、つまり、ＬＡＮバスから取得のシート環境設定に従って、シートＳｅＣのシート環境についての制御を行う（ｔ３０）。シート環境制御ユニット１０ａの利用判定部１１４で利用不可と判定され、シートＳｅＢ，ＳｅＣに対応する予約位置に紐付けられているシート環境設定がシート環境制御ユニット１０ｂ，１０ｃに送信されない場合には、ＬＡＮバス３０から取得のシート環境設定に従ったシートＳｅＢ，ＳｅＣのシート環境についての制御は行われないことになる。なお、ｔ２９とｔ３０との処理の順序が入れ替わっても構わないし、ｔ２９，ｔ２６の処理以降にｔ２６の処理が行われても構わない。
【００８４】
＜実施形態１のまとめ＞
実施形態１の構成によれば、携帯端末２は、乗員となるユーザＵａが含まれるグループＧｒのユーザＵａ〜ＵｃのシートＳｅＡ〜ＳｅＣの予約をまとめて行う予約システム３から送信される、予約されたグループＧｒのユーザＵａ〜Ｕｃのシートの位置を示す予約位置を含む予約情報を主制御部２１で取得するので、ユーザＵａ〜ＵｃのグループＧｒ内につき１つの携帯端末２でグループＧｒのユーザＵａ〜Ｕｃの予約位置を取得することが可能になる。また、携帯端末２は、予約されたグループＧｒのユーザＵａ〜Ｕｃのシート環境についての設定であるシート環境設定を操作入力部２４で受け付けるので、ユーザＵａ〜ＵｃのグループＧｒ内につき１つの携帯端末２でグループＧｒのユーザＵａ〜ＵｃのシートＳｅＡ〜ＳａＣのシート環境設定を行うことが可能になる。
【００８５】
そして、この携帯端末２の近距離通信部２５が、操作入力部２４で受け付けるグループＧｒのユーザＵａ〜ＵｃのシートＳｅＡ〜ＳｅＣについてのシート環境設定と、取得する予約情報とを、接続されるシート環境制御ユニット１０ａに送信することで、シート環境制御ユニット１０ａにおいて、この予約情報に含まれる予約位置をもとに、予約されたグループＧｒのユーザＵｂ，ＵｃのシートＳｅＢ，ＳｅＣに対応するシート環境制御ユニット１０ｂ，１０ｃに、対応するシート環境設定を伝達させることを可能にする。シート環境制御ユニット１０ａ〜１０ｃは、自ユニットに対応するシート環境設定が伝達されてくる場合に、このシート環境設定に従って、自ユニットが用いられるシートＳｅのシート環境についての制御を行うので、ユーザＵａ〜ＵｃのグループＧｒ内につき１つの携帯端末２で、このグループＧｒ内のユーザＵａ〜Ｕｃの着座するシートＳｅＡ〜ＳｅＣのシート環境を調整することが可能になる。
【００８６】
その結果、輸送用移動体のシートＳｅごとにシート環境を制御するシート環境制御ユニット１０が設けられている場合であっても、ユーザＵのグループＧｒ内につき１つの携帯端末２で、このグループＧｒ内の各ユーザＵの着座するシートＳｅのシート環境を調整することが可能になる。また、ユーザＵのグループＧｒ内につき１つの携帯端末２で、このグループＧｒ内の各ユーザＵの着座するシートＳｅのシート環境を調整することが可能になるので、輸送用移動体のシートＳｅごとにシート環境を調整するための操作入力部を設ける必要がなくなる。
【００８７】
（実施形態２）
実施形態１では、シート予約を行ったユーザＵの携帯端末２からしかシート環境設定の変更を行わない構成を示したが、必ずしもこれに限らない。例えば、シート予約を行ったユーザＵのシートＳｅ以外のシートＳｅについて、携帯端末２以外からシート環境設定の変更を行う構成（以下、実施形態２）としてもよい。以下、実施形態２について説明を行う。
【００８８】
＜移動体用システム２００の概略構成＞
実施形態２の移動体用システム２００は、図９に示すように、携帯端末２、予約システム３、携帯端末４、及び移動体側システム５を含んでいる。移動体用システム２００は、携帯端末４を含む点と、移動体側システム１の代わりに移動体側システム５を含む点とを除けば、実施形態１の移動体用システム１００と同様である。
【００８９】
＜移動体側システム５の概略構成＞
移動体側システム５は、図９に示すように、複数のシートＳｅごとに用いられるシート環境制御ユニット５０、ロケータ２０、及び輸送用移動体内のＬＡＮバス３０を含んでいる。移動体側システム５は、シート環境制御ユニット１０の代わりにシート環境制御ユニット５０を含む点を除けば、実施形態１の移動体側システム１と同様である。シート環境制御ユニット５０の詳細については後述する。
【００９０】
本実施形態でも、便宜上、シートＳｅとして、５つのシートＳｅＡ，ＳｅＢ，ＳｅＣ，ＳｅＤ，ＳｅＥを例に挙げて説明を行う。シートＳｅＡ〜ＳｅＣの３つのシートＳｅがユーザＵａ，Ｕｂ，ＵｃのグループＧｒによって予約されるシートＳｅとする。また、実施形態１と同様に、ユーザＵａが携帯端末２を用いてグループＧｒについてのシート予約を行うものとする。本実施形態では、個々のシートごとの区別を行わない場合を除いて、シートＳｅＡ〜シートＳｅＥのシート環境制御ユニット５０を、それぞれシート環境制御ユニット５０ａ〜５０ｅと呼ぶ。
【００９１】
＜携帯端末４の概略構成＞
携帯端末４は、グループＧｒのうちのシート予約を行うユーザＵａ以外のユーザＵに携帯される。本実施形態の例では、ユーザＵｃに携帯されるものとする。携帯端末４としては、人が携帯可能であって特定の通信機能を有する端末であればよく、例えば多機能携帯電話機，タブレット端末，ノートＰＣ等を用いることができる。以下では、携帯端末４として、スマートフォンといった多機能携帯電話機を用いる場合を例に挙げて説明を行う。
【００９２】
携帯端末４は、携帯端末２と同様に、近距離無線通信規格を利用してシート環境制御ユニット１０と通信を行う。本実施形態では、携帯端末４も、Ｂｌｕｅｔｏｏｔｈの近距離無線通信規格を利用してシート環境制御ユニット１０と通信を行うものとする。本実施形態では、携帯端末２は、携帯端末２のユーザＵａのシートＳｅＡで用いられるシート環境制御ユニット１０ａとペアリングを行う一方、携帯端末４は、携帯端末４のユーザＵｃのシートＳｅＣとペアリングを行う。
【００９３】
携帯端末４が、携帯端末４のユーザＵｃについて予約されたシートＳｅＣで用いられるシート環境制御ユニット１０ｃを特定してペアリングを行う方法としては、例えば以下のようにすればよい。シート予約を行ったグループＧｒの各ユーザＵに対して発券される、シート予約を行ったシートＳｅについての物理的なチケットに、それぞれのシートＳｅに用いられるシート環境制御ユニット１０と通信接続を確立するために必要なＢＤアドレスを含む２次元コードを付しておく。そして、携帯端末４に備えられている２次元コードの読み取り装置によって、ユーザＵｃに対して発券されるチケットに付されている２次元コードを読み取ることで、シート環境制御ユニット１０ｃとペアリングするためのＢＤアドレスを抽出し、このＢＤアドレスを用いてシート環境制御ユニット１０ｃとペアリングを行う構成とすればよい。
【００９４】
携帯端末４は、シート環境制御ユニット１０ｃとペアリング中において、携帯端末４に備えられる操作入力部を介して、ペアリング中のシート環境制御ユニット１０ｃが用いられるシートＳｅＣのシート環境についての設定（つまり、シート環境設定）を受け付ける。そして、携帯端末４は、受け付けたシート環境設定を、ペアリング中のシート環境制御ユニット１０ｃに送信する。シート環境制御ユニット１０ｃは、シート環境制御ユニット１０ａからＬＡＮバス３０を介して伝達されてくるシート環境設定に従ってシートＳｅＣのシート環境についての制御を行っているので、携帯端末４で受け付けるシート環境設定は、シート環境の設定変更に該当する。よって、以降では、便宜上、携帯端末４で受け付けるシート環境設定を設定変更と呼ぶ。
【００９５】
＜シート環境制御ユニット５０の概略構成＞
シート環境制御ユニット５０は、シートＥＣＵ５１、近距離通信部１２、ＬＡＮ通信部１３、及び空調ユニット１４を備えている。シート環境制御ユニット５０は、シートＥＣＵ１１の代わりにシートＥＣＵ５１を備えている点を除けば、実施形態１のシート環境制御ユニット１０と同様である。
【００９６】
＜シートＥＣＵ５１の概略構成＞
続いて、図１０を用いてシートＥＣＵ５１の概略構成について説明を行う。シートＥＣＵ５１は、図１０に示すように、設定取得部５１１、シート間情報取得部１１２、位置取得部１１３、利用判定部１１４、及びシート環境制御部５１５を備える。シートＥＣＵ５１は、設定取得部１１１の代わりに設定取得部５１１を備える点と、シート環境制御部１１５の代わりにシート環境制御部５１５を備える点とを除けば、実施形態１のシートＥＣＵ１１と同様である。
【００９７】
設定取得部５１１は、携帯端末２から送信される予約情報及びシート環境設定を、近距離通信部１２を介して取得する以外に、携帯端末４から送信される設定変更を、近距離通信部１２を介して取得する点を除けば、実施形態１の設定取得部１１１と同様である。設定取得部５１１は、携帯端末４から取得するシート環境設定を、シート環境制御部５１５に出力する。この設定取得部５１１が、変更受け付け部に相当する。
【００９８】
シート環境制御部５１５は、設定取得部５１１から設定変更が入力されてくる場合の処理を除けば、実施形態１のシート環境制御部１１５と同様である。シート環境制御部５１５は、シート間情報取得部１１２から入力されてくるシート環境設定に従って、自ユニットが用いられるシートＳｅのシート環境についての制御を行っていた場合であっても、設定取得部５１１から設定変更が入力されてくる場合には、この設定変更を優先して、自ユニットが用いられるシートＳｅのシート環境についての制御を行う。
【００９９】
本実施形態の例では、シート環境制御ユニット１０ｃのシート環境制御部５１５は、シート間情報取得部１１２から入力されてくるシート環境設定に従って、シートＳｅＣのシート環境についての制御を行っていた場合であっても、設定取得部５１１から設定変更が入力されてくる場合には、この設定変更を優先して、シートＳｅＣのシート環境についての制御を行うことになる。これによれば、シート予約を行ったグループＧｒの、シート予約を行った携帯端末２を携帯するユーザＵ以外のユーザＵが携帯端末４を有している場合に、携帯端末４で受け付ける設定変更に応じて、シート予約を行ったユーザＵ以外のユーザＵの携帯端末４からでもシート環境の調整を行うことが可能となる。
【０１００】
（実施形態３）
実施形態１では、シート予約を行ったグループＧｒの、シート予約を行った携帯端末２を携帯するユーザＵ以外のユーザＵの輸送用移動体への乗り込みの有無にかかわらず、グループＧｒの各ユーザＵについて予約されたシートＳｅのシート環境の制御を行う構成を示したが、必ずしもこれに限らない。例えば、シート予約を行った携帯端末２を携帯するユーザＵ以外のユーザＵの輸送用移動体への乗り込みの有無に応じて、予約されたシートＳｅのシート環境の制御を行わせない構成（以下、実施形態３）としてもよい。以下、実施形態３について説明を行う。
【０１０１】
＜移動体用システム３００の概略構成＞
実施形態３の移動体用システム３００は、図１１に示すように、携帯端末２、予約システム３、改札システム６、及び移動体側システム７を含んでいる。移動体用システム３００は、改札システム６を含む点と、移動体側システム１の代わりに移動体側システム７を含む点とを除けば、実施形態１の移動体用システム１００と同様である。
【０１０２】
＜改札システム６の概略構成＞
改札システム６は、改札機とこの改札機で読み取る情報を記憶するサーバ装置とを含む。改札機は、輸送用移動体へ乗り込む際にユーザＵが通過する通路に設けられ、シート予約を行ったグループＧｒの各ユーザＵに対して発券される、シート予約を行ったシートＳｅについての物理的なチケットに含まれる情報を読み取る。一例として、磁気データ，２次元コードとしてチケットに含まれる、シート予約を行った輸送用移動体の番号，予約位置，利用区間等の情報を読み取る。改札機は、例えばチケットから読み取った利用区間から、改札機が設けられる通路の通過の諾否を判定すればよい。チケットから読み取った輸送用移動体の番号，予約位置等と、この読み取りの行われた時刻、つまり改札機の通過時刻（以下、改札時刻）とをサーバ装置に送信する。
【０１０３】
改札システム６に含まれるサーバ装置は、改札機から送信されてくる輸送用移動体の番号，予約位置と、改札時刻とを紐付けて記憶する。そして、紐付けられている輸送用移動体の番号に対応する輸送用移動体の移動体側システム７へ、紐付けられている予約位置と改札時刻との組を送信する。
【０１０４】
＜移動体側システム７の概略構成＞
移動体側システム７は、図１１に示すように、複数のシートＳｅごとに用いられるシート環境制御ユニット７０、ロケータ２０、管理ユニット６０、及び輸送用移動体内のＬＡＮバス３０を含んでいる。移動体側システム７は、管理ユニット６０と、シート環境制御ユニット１０の代わりにシート環境制御ユニット７０を含む点を除けば、実施形態１の移動体側システム１と同様である。シート環境制御ユニット７０の詳細については後述する。
【０１０５】
本実施形態でも、便宜上、シートＳｅとして、５つのシートＳｅＡ，ＳｅＢ，ＳｅＣ，ＳｅＤ，ＳｅＥを例に挙げて説明を行う。シートＳｅＡ〜ＳｅＣの３つのシートＳｅがユーザＵａ，Ｕｂ，ＵｃのグループＧｒによって予約されるシートＳｅとする。また、実施形態１と同様に、ユーザＵａが携帯端末２を用いてグループＧｒについてのシート予約を行うものとする。本実施形態では、個々のシートごとの区別を行わない場合を除いて、シートＳｅＡ〜シートＳｅＥのシート環境制御ユニット７０を、それぞれシート環境制御ユニット７０ａ〜７０ｅと呼ぶ。
【０１０６】
＜管理ユニット６０の概略構成＞
管理ユニット６０は、通信モジュールと管理ＥＣＵとを備える。通信モジュールは、公衆通信網に接続し、この公衆通信網を介して予約システム３，改札システム６と通信を行う。通信モジュールは、予約システム３から自ユニットが用いられる輸送用移動体の予約情報を取得したり、改札システム６のサーバ装置から送信される予約位置と改札時刻との組を取得したりする。通信モジュールは、管理ＥＣＵに接続されており、取得した情報を管理ＥＣＵに出力する。
【０１０７】
管理ＥＣＵは、予約システム３から取得する、自ユニットが用いられる輸送用移動体の予約情報と、改札システム６から取得する予約位置と改札時刻との組とをもとに、自ユニットが用いられる輸送用移動体の予約されたシートＳｅ別に、改札時刻が輸送用移動体の出発日時の所定時間前か否かを判定する。ここで言うところの所定時間とは、例えば、改札機を通過して輸送用移動体に乗り込むまでの時間として推定される最短時間としてもよいし、０としてもよい。そして、管理ＥＣＵは、ＬＡＮバス３０を介して、予約位置をもとに、予約されたシートＳｅ別に、シートＳｅで用いられるシート環境制御ユニット５０へ、改札時刻が輸送用移動体の出発日時の所定時間前か否かの判定結果を送信する。
【０１０８】
なお、ここでは、改札時刻が輸送用移動体の出発日時の所定時間前か否かを管理ＥＣＵでシートＳｅ別に判定する構成を示したが、必ずしもこれに限らない。予約システム３から取得する、自ユニットが用いられる輸送用移動体の予約情報と、改札システム６から取得する予約位置と改札時刻との組とを、シート環境制御ユニット７０へ送信することで、予約されたシートＳｅ別に、シート環境制御ユニット７０の後述するシートＥＣＵ７１で、改札時刻が輸送用移動体の出発日時の所定時間前か否かを管理ＥＣＵで判定する構成としてもよい。
【０１０９】
＜シート環境制御ユニット７０の概略構成＞
シート環境制御ユニット７０は、シートＥＣＵ７１、近距離通信部１２、ＬＡＮ通信部１３、及び空調ユニット１４を備えている。シート環境制御ユニット７０は、シートＥＣＵ１１の代わりにシートＥＣＵ７１を備えている点を除けば、実施形態１のシート環境制御ユニット１０と同様である。
【０１１０】
＜シートＥＣＵ７１の概略構成＞
続いて、図１２を用いてシートＥＣＵ７１の概略構成について説明を行う。シートＥＣＵ７１は、図１２に示すように、設定取得部１１１、シート間情報取得部１１２、位置取得部１１３、利用判定部１１４、シート環境制御部７１５、及び乗り込み判定部７１７を備える。シートＥＣＵ７１は、乗り込み判定部７１７を備える点と、シート環境制御部１１５の代わりにシート環境制御部７１５を備える点とを除けば、実施形態１のシートＥＣＵ１１と同様である。
【０１１１】
乗り込み判定部７１７は、管理ＥＣＵからＬＡＮ通信部１３を介して取得する、改札時刻が輸送用移動体の出発日時の所定時間前か否かの判定結果から、自ユニットが用いられるシートＳｅの乗員となるユーザＵの輸送用移動体への乗り込みの有無を判定する。詳しくは、改札時刻が輸送用移動体の出発日時の所定時間前である場合に、乗り込みありと判定し、改札時刻が輸送用移動体の出発日時の所定時間以降である場合に、乗り込みなしと判定する。
【０１１２】
シート環境制御部７１５は、乗り込み判定部７１７での判定結果に応じた処理を行う点を除けば、実施形態１のシート環境制御部１１５と同様である。シート環境制御部７１５は、乗り込み判定部７１７で乗り込みなしと判定する場合には、シート間情報取得部１１２からシート環境設定が入力されてくる場合であっても、このシート環境設定に従った、自ユニットが用いられるシートＳｅのシート環境についての制御を行わない。言い換えると、シート環境制御部７１５は、乗り込み判定部７１７で乗り込みなしと判定する場合には、他のシート環境制御ユニット７０からシート環境設定が伝達されてくる場合であっても、このシート環境設定に従った、自ユニットが用いられるシートＳｅのシート環境についての制御を行わない。
【０１１３】
本実施形態の例では、シート予約を行ったユーザＵａの携帯端末２を介して、シート予約を行ったシートＳｅＡ〜ＳｅＣのシート環境設定を行う場合であっても、ユーザＵａのグループの他のユーザＵｂ，Ｕｃが輸送用移動体に乗り込んでいなかった場合には、輸送用移動体に乗り込んでいないユーザＵに対応するシートＳｅのシート環境についての制御を行わないことになる。よって、乗り込んでいないユーザＵに対応するシートＳｅのシート環境についての制御を行う無駄を省くことが可能になる。
【０１１４】
（実施形態４）
前述の実施形態１では、携帯端末２が複数のシート環境制御ユニット１０のうちの１つに絞って無線通信可能に接続し、その１つのシート環境制御ユニット１０にシート環境設定を送信することで、シート予約を行ったグループＧｒの各ユーザのシートＳｅのシート環境についての制御を行う構成を示したが、必ずしもこれに限らない。例えば、携帯端末２が、シート予約を行ったグループＧｒの各ユーザのシートＳｅに対応するシート環境制御ユニット１０のそれぞれと無線通信可能に接続し、それぞれのシート環境制御ユニット１０にシート環境設定を送信することで、シート予約を行ったグループＧｒの各ユーザのシートＳｅのシート環境についての制御を行う構成（以下、実施形態４）としてもよい。
【０１１５】
実施形態４では、５つのシートＳｅＡ，ＳｅＢ，ＳｅＣ，ＳｅＤ，ＳｅＥのうちの、シートＳｅＡ〜ＳｅＣの３つのシートＳｅが、ユーザＵａ，Ｕｂ，ＵｃのグループＧｒによって予約されるシートＳｅとする。また、実施形態１と同様に、ユーザＵａが携帯端末２を用いてグループＧｒについてのシート予約を行うものとする。本実施形態でも、実施形態１と同様に、個々のシートごとの区別を行わない場合を除いて、シートＳｅＡ〜シートＳｅＥのシート環境制御ユニット１０を、それぞれシート環境制御ユニット１０ａ〜１０ｅと呼ぶ。
【０１１６】
実施形態４を採用する場合、携帯端末２は、シート予約を行ったグループＧｒの各ユーザのシートＳｅに対応するシート環境制御ユニット１０のそれぞれと順次接続することによって、これら複数のシート環境制御ユニット１０とペアリングする構成とすればよい。そして、携帯端末２は、操作入力部２４で受け付けたグループＧｒのユーザＵａ〜ＵｃのシートＳｅＡ〜ＳｅＣについてのシート環境設定を、予約システム３から取得した予約情報と紐付けて、近距離通信部２５から、シートＳｅＡ〜ＳｅＣのそれぞれで用いられるシート環境制御ユニット１０ａ〜１０ｃに送信させる。携帯端末２は、予約情報のうちのシートＳｅＡ〜ＳｅＣのそれぞれの予約位置をもとに、シートＳｅＡ〜ＳｅＣのそれぞれで用いられるシート環境制御ユニット１０ａ〜１０ｃの個々を特定して、個々のシート環境制御ユニット１０ａ〜１０ｃに対応するシート環境設定を送信させればよい。
【０１１７】
また、シート環境制御ユニット１０ａ〜１０ｃのシート環境制御部１１５では、設定取得部１１１からシート環境設定が入力されてくる場合、つまり、携帯端末２から、自ユニットに対応するシート環境設定が伝達されてくる場合に、携帯端末２から伝達されてくるこのシート環境設定に従って、自シートのシート環境についての制御を行う。なお、実施形態４でも、利用判定部１１４で利用不可と判定する場合には、自ユニットに対応するシート環境設定が伝達されてくる場合であっても、このシート環境設定に従った、自シートのシート環境についての制御を行わない構成とすればよい。実施形態４では、移動体側システム１がＬＡＮバス３０を含まず、シート環境制御ユニット１０がＬＡＮ通信部１３を備えない構成としてもよい。
【０１１８】
実施形態４の構成によっても、ユーザＵａ〜ＵｃのグループＧｒ内につき１つの携帯端末２でグループＧｒのユーザＵａ〜Ｕｃの予約位置を取得すること、及びグループＧｒのユーザＵａ〜ＵｃのシートＳｅＡ〜ＳａＣのシート環境設定を行うことが可能になる。
【０１１９】
そして、この携帯端末２の近距離通信部２５が、操作入力部２４で受け付けるグループＧｒのユーザＵａ〜ＵｃのシートＳｅＡ〜ＳｅＣについてのシート環境設定を、取得する予約情報に含まれる予約位置をもとに、シートＳｅＡ〜ＳｅＣのそれぞれで用いられるシート環境制御ユニット１０ａ〜１０ｃの個々を特定して、個々のシート環境制御ユニット１０ａ〜１０ｃに対応するシート環境設定を送信させる。よって、シート環境制御ユニット１０ａ〜１０ｃは、それぞれ自ユニットに対応するシート環境設定に従って、自ユニットが用いられるシートＳｅのシート環境についての制御を行うことが可能になる。
【０１２０】
その結果、輸送用移動体のシートＳｅごとにシート環境を制御するシート環境制御ユニット１０が設けられている場合であっても、ユーザＵのグループＧｒ内につき１つの携帯端末２で、このグループＧｒ内の各ユーザＵの着座するシートＳｅのシート環境を調整することが可能になる。また、実施形態４の構成によれば、シート環境制御ユニット１０同士で情報のやり取り可能に接続する必要もなくなる。
【０１２１】
（実施形態５）
前述の実施形態では、予約情報に利用区間を含む構成を示したが、必ずしもこれに限らない。例えば、輸送用移動体に対して利用区間が１種類に固定されている場合には、予約情報に利用区間を含まず、シートＥＣＵ１１，５１，７１が利用判定部１１４を備えない構成としてもよい。
【０１２２】
（実施形態６）
前述の実施形態では、シート環境制御部１１５，５１５，７１５がシート環境の制御として、個別空調の制御を行う構成を示したが、必ずしもこれに限らない。例えば、シート環境の制御として、シートＳｅの背もたれのリクライニング角度といったシート位置の制御，照明の制御等の、他のシート環境の制御を行う構成としてもよい。なお、シート位置の制御を行う構成とする場合には、シートＳｅは電動作動する電動シートであるものとする。また、シート位置の制御を行う構成を採用する場合には、利用判定部１１４で利用不可と判定し、シート環境の制御を行わない構成として、例えばリクライニングなしのデフォルトの状態となるように維持したり、戻したりする構成とすればよい。
【０１２３】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【０１２４】
１  移動体側システム、２  携帯端末、３  予約システム、４  携帯端末、５  移動体側システム、６  改札システム、７  移動体側システム、１０  シート環境制御ユニット、１１  シートＥＣＵ、１２  近距離通信部（シート側無線通信部）、１３  ＬＡＮ通信部（シート間通信部）、２０  ロケータ、２１  主制御部（予約情報取得部）、２３  表示部、２４  操作入力部（設定入力部）、２５  近距離通信部（携帯側無線通信部）、３０  ＬＡＮバス、５０  シート環境制御ユニット、５１  シートＥＣＵ、６０  管理ユニット、７０  シート環境制御ユニット、７１  シートＥＣＵ、１００  移動体用システム、１１３  位置取得部、１１４  利用判定部、１１５  シート環境制御部、３００  移動体用システム、４００  移動体用システム、５１１  設定取得部（変更受け付け部）、５１５  シート環境制御部、７１５  シート環境制御部、７１７  乗り込み判定部
【図１】
2019182090.tif 000003
【図２】
2019182090.tif 000004
【図３】
2019182090.tif 000005
【図４】
2019182090.tif 000006
【図５】
2019182090.tif 000007
【図６】
2019182090.tif 000008
【図７】
2019182090.tif 000009
【図８】
2019182090.tif 000010
【図９】
2019182090.tif 000011
【図１０】
2019182090.tif 000012
【図１１】
2019182090.tif 000013
【図１２】
2019182090.tif 000014